(57)【特許請求の範囲】
【請求項１】
シャッターケースと、このシャッターケース内に取付ける巻取部と、この巻取部に巻き掛けるシャッターカーテンと、前記シャッターケースの側部に取付けられ、前記巻取部の軸を固定する軸支持部材とを備え、
前記軸支持部材は、シャッターケースの側部に取付けられる支承部材と、この支承部材に取付けられる固定部材を有し、
前記支承部材は、前記軸をケース見込み幅方向に離隔した第１位置と第２位置とに亘って移動可能に支承し、
前記固定部材は、前記軸を第１位置で固定する第１の状態と第２位置で固定する第２の状態とに取り付け換えできることを特徴とするシャッター。
【請求項２】
支承部材は、軸をケース見込み幅方向に移動自在に支承する第１支承部と、軸をケース見込み幅方向の前部方に移動しないように支承する第２支承部と、軸をケース見込み幅方向の後部方に移動しないように支承する第３支承部で略上向きコ字形状の支承部を有する形状で、
固定部材は、第３支承部と軸との間及び第２支承部と軸との間に押し込んで取り付け換えできる形状である請求項１記載のシャッター。
【請求項３】
支承部材の第２支承部と第３支承部に亘って挿通して螺合した軸固定ビスを設け、この軸固定ビスを軸に挿通して軸の回転止め部材とした請求項２記載のシャッター。
【発明の詳細な説明】
【０００１】
【発明の属する技術分野】
本発明は、主としてサッシ枠の上部に取付け、雨戸等として使用するシャッターに関する。
【０００２】
【従来の技術】
従来のシャッターとしては、シャッターケースと、このシャッターケース内に取付けた巻取部と、この巻取部に巻き掛けたシャッターカーテンなどを備えたものが知られている。
前記シャッターは、例えば、そのシャッターケースをサッシ枠の上部に取付けたり、建物外壁におけるサッシ枠取付用開口部の上部に取付け、シャッターカーテンを巻取部で巻取り、繰り出しすることで、サッシ枠に取付けた左右のガイドレールに沿ってシャッターカーテンを昇降して雨戸などとして使用される。
【０００３】
【発明が解決しようとする課題】
従来、シャッターとサッシ枠とを工場等で別々に製造し、それぞれ別体として施工現場に運搬し、施工現場においてサッシ枠の上部にシャッターのシャッターケースを取付けてシャッター付きサッシ枠とすることが行われている。
このために、施工現場への運搬に際し、工場等でシャッターとサッシ枠をそれぞれ別途に梱包しなければならず、さらに、施工現場において梱包を解く手間があった。
しかも、施工現場においてサッシ枠の上部にシャッターケースを取付けることになるから、その作業が面倒であった。
【０００４】
前述のこと解消するには、工場等でサッシ枠の上部にシャッターケースを取付け、それらを一体として工場等から施工現場まで運搬することが考えられる。
しかしながら、サッシ枠を建物躯体の壁の厚み内に収まるようにした場合、例えばツーバイフオー工法の場合には、サッシ枠の見込み幅（室内外方向の幅）は建物躯体の壁の厚みの制約を受け、そのサッシ枠の見込み幅がシャッターケース内の巻取部の巻き径よりも小さく、前述のようにサッシ枠の上部にシャッターケースを取付けると巻取部に巻き掛けたシャッターカーテンがサッシ枠から出張ってしまうことがある。
【０００５】
前述のように、巻取部に巻掛けたシャッターカーテンがサッシ枠から出張ると梱包がやりずらいし、トラックの荷台等に積載して運搬する際にサッシ枠から出張った部分によって積載できるサッシ枠の数が少なくなり、運搬作業効率が低下する。
【０００６】
また、図６に示すように、巻取部１の中心１ａのサッシ枠２の見込み幅方向の位置（以下単に中心位置という）と、ガイドレール３のサッシ枠２の見込み幅方向の位置（以下単に位置という）との間隔でシャッターカーテン４の入り角度θが決定する。
例えば、図６（ａ）に示すように巻取部１の中心位置とガイドレール３の位置とが遠く離れて間隔が広いと、シャッターカーテン４の入り角度θが小さい。
図６（ｂ）に示すように巻取部１の中心位置とガイドレール３の位置とが接近して間隔が狭いと、シャッターカーテン４の入り角度θが大きい。
【０００７】
前述のシャッターカーテン４の入り角度θは、巻取部１のシャッターカーテン巻取力（つまり、開閉力）に影響を及ぼし、適切な角度とすることが好ましい。
しかしながら、サッシ枠の建物躯体への取付け（納まり）の仕方の違い（例えば半外付け、外付け、プレハブ納まり等）及びサッシ窓種の違い（シングルサッシ、ダブルサッシ等）によって、前述の巻取部１の中心位置とガイドレール３の位置との間隔が異なり前述のシャッターカーテン４の入り角度θが異なってしまう。
【０００８】
前述の工場等から施工現場までの運搬時の問題を解消できるようにしたシャッター付きのサッシ枠が、特許第２７５９９１４号公報に開示されている。
このシャッター付きのサッシ枠は、サッシ枠の縦枠に対して巻取り用のドラムを備えたシャッターケースを、サッシ枠見込み幅方向に移動するものである。
しかしながら、前述したシャッター付きのサッシ枠は、上下揺動するシャッター受台と、案内レールと、固定金具を備え、移動するための部品点数が多く複雑な形状で、かつコスト高であると共に、シャッター受台の上下揺動操作、案内レールと固定金具の移動操作が必要で、シャッターケースを移動するのが大変面倒である。
【０００９】
また、サッシ枠の縦枠に対してシャッターケースとともに巻取部を移動するものであるから、シャッターケースをサッシ枠よりも上方の建物躯体に取付けるもの、つまり単独のシャッターには適用できない。
したがって、前述のサッシ枠の納まりの仕方の違い、サッシ窓種の違いによるシャッターカーテンの入り角度が異なる問題を解消できないことがある。
【００１０】
本発明は前述の課題を解決するためになされたもので、シャッターケースに対して巻取部を移動できると共に、巻取部を移動する操作が簡単で、しかも移動するための部品点数が少なく単純形状でコスト安であるシャッターを提供することを目的とする。
【００１１】
【課題を解決するための手段】
第１の発明は、シャッターケースと、このシャッターケース内に取付ける巻取部と、この巻取部に巻き掛けるシャッターカーテンと、前記シャッターケースの側部に取付けられ、前記巻取部の軸を固定する軸支持部材とを備え、
前記軸支持部材は、シャッターケースの側部に取付けられる支承部材と、この支承部材に取付けられる固定部材を有し、
前記支承部材は、前記軸をケース見込み幅方向に離隔した第１位置と第２位置とに亘って移動可能に支承し、
前記固定部材は、前記軸を第１位置で固定する第１の状態と第２位置で固定する第２の状態とに取り付け換えできることを特徴とするシャッターである。
【００１２】
第２の発明は、第１の発明において支承部材は、軸をケース見込み幅方向に移動自在に支承する第１支承部と、軸をケース見込み幅方向の前部方に移動しないように支承する第２支承部と、軸をケース見込み幅方向の後部方に移動しないように支承する第３支承部で略上向きコ字形状の支承部を有する形状で、
固定部材は、第３支承部と軸との間及び第２支承部と軸との間に押し込んで取り付け換えできる形状であるシャッターである。
【００１３】
第３の発明は、第２の発明において支承部材の第２支承部と第３支承部に亘って挿通して螺合した軸固定ビスを設け、この軸固定ビスを軸に挿通して軸の回転止め部材としたシャッターである。
【００１４】
【作  用】
第１の発明によれば、固定部材を第１の状態に取付けることで軸が第１位置に固定され、その固定部材を第２の状態に取付けることで軸が第２位置に固定される。
よって、固定部材を第１の状態と第２の状態とに取り付け換えすることで、巻取部をケース見込み幅方向に移動して固定できる。
したがって、巻取部を移動する操作が簡単であると共に、その移動するための部品点数が少なく、単純形状でコスト安とすることが可能となる。
【００１５】
また、シャッターケースに対して巻取部が移動する形状であるから、シャッター単独であっても巻取部を移動することができる。
したがって、サッシ枠の納まりの仕方の違い、サッシ窓種の違いに対応して巻取部を移動することで、シャッターカーテンの入り角度を適切な角度とすることが可能である。
【００１６】
第２の発明によれば、固定部材を第３支承部と軸との間、第２支承部と軸との間に押し込むことで取付けできる。
したがって、固定部材の取付け、取り外し操作が容易で、固定部材の取り付け換えを容易に実施できる。
【００１７】
第３の発明によれば、シャッターカーテンの巻き取り、繰り出し時に軸が回転することがない。
軸固定ビスを螺合することで、第２又は第３支承部と固定部材で軸を強固に締付けるから、軸を強固に固定できる。
【００１８】
【発明の実施の形態】
（第１の実施の形態）
図１はシャッター付きサッシ枠の概略外観図で、この図１は本発明の理解を容易とするために概略的に図示してあり、形状・寸法等が後述する具体形状と異なる部分がある。
サッシ枠１０は、左右の縦枠１１と、その左右の縦枠１１の上端部間に連結した天枠１２と、左右の縦枠１１の上部寄り間に連結した上枠１３と、左右の縦枠１１の下端部間に連結した下枠１４を備えている。
前記左右の縦枠１１の下部寄りと上枠１３と下枠１４で障子装着用枠部１５を形成し、前記左右の縦枠１１の上部寄りと上枠１３と天枠１２でシャッター取付用枠部１６を形成している。
【００１９】
前記サッシ枠１０の上部、例えばシャッター取付用枠部１６に取付けたシャッターケース２０と、このシャッターケース２０内に取付けた巻取部２１と、この巻取部２１に巻き掛けたシャッターカーテン２２でシャッターを形成し、シャッター付きサッシ枠としてある。
前記シャッターカーテン２２は、左右の縦枠１１に取付けた左右のガイドレール２３に沿って昇降することで、障子装着用枠部１５におけるサッシ枠見込み幅方向室外面（つまり、前面）を開閉する。
【００２０】
前記シャッターケース２０は下面板２０ａと後面板２０ｂと上面板２０ｃと左右の側面板２０ｄ，２０ｄで、前面（つまり、ケース見込み幅方向の室外面）が開口した左右方向に長尺な略箱形状である。
前記シャッターケース２０の左右の側部、例えば左右の側面板２０ｄ，２０ｄの内面（シャッターケース２０の左右側面）に、軸支持部材２４がそれぞれ取付けてある。
【００２１】
前記巻取部２１は軸２５と、この軸２５に回転自在に支承され、かつ図示しないスプリング等で巻き取り方向に回転付勢された巻取りドラム２６を備えている。
前記軸２５の軸方向両端部が前記各軸支持部材２４に回転しないように支持されている。
【００２２】
前記シャッターカーテン２２は、例えば、押出形材又は曲げ加工したシャッタースラットを複数連結したもので、その最上部のシャッタースラットが前記巻取りドラム２６に固着される。
最下部のシャッタースラットに取付けた把手２７を持って引き下げることで巻取りドラム２６が繰り出し方向に回転してシャッターカーテン２２が繰り出しされる。
把手２７を持って最下部のシャッタースラットを軽い力で持ち上げることで、巻取りドラム２６がスプリングで巻取り方向に回転し、シャッターカーテン２２を巻取る。
この実施の形態では巻取部２１を手動で巻取り、繰り出し操作するようにしたが、後述するように電動モータで巻取り、繰り出し操作するようにしても良い。
【００２３】
次にシャッターケース部分の具体形状を説明する。
図２は図１のＡ−Ａ拡大詳細断面図で、この図２ではシャッターカーテン２２を最大限に巻き取った状態としてあり、把手２７がガイドレール２３の最上部に位置している。
前記シャッターケース２０の下部（下面板２０ａ）が上枠１３に上枠連結材３０を用いて固着される。
前記天枠１２の見込み幅はサッシ枠１０（縦枠１１）の見込み幅よりも小さく、縦枠１１の見込み幅方向室外面（以下前面という）寄りに連結される。
この天枠１２の見込み幅方向室内面にＬ型のブラケット３１が固着してある。このブラケット３１にシャッターケース２０の上部（上面板２０ｃ）がボルトナット３２で固着される。
【００２４】
前記縦枠１１の前面（つまり、サッシ枠１０の前面）と前記側面板２０ｄの前面（つまり、シャッターケース２０の前面）は略面一である。
前記シャッター付きサッシ枠は図２に仮想線で示すように、建物外壁３３の開口部３４に取付けられる。
この建物外壁３３の前面（室外面）３３ａと前記サッシ枠１０の前面、シャッターケース２０の前面が略面一となる。
図２において、天枠１２の前面にカバー体３５が開閉自在、例えば上下揺動自在に取付けてある。このカバー体３５はシャッターケース２０の前面開口部と対向し、巻取部２１、巻き取ったシャッターカーテン２２などが見えないようにする。
なお、図１においてはカバー体３５が図示されていない。
【００２５】
図３は図１のＢ−Ｂ拡大詳細断面図で、前記軸支持部材２４は、シャッターケース２０の側面に取付けられた支承部材４０と、この支承部材４０に取り付け換えできるように取付けられた固定部材５０を有する。
前記支承部材４０は、前記軸２５をケース見込み幅方向に移動可能に支承する第１支承部４０ａ及び前記軸２５がケース見込み幅方向の室外方（以下前部方という）に移動しないように支承する第２支承部４０ｂ並びに前記軸２５がケース見込み幅方向の室内方（以下後部方という）に移動しないように支承する第３支承部４０ｃで略上向きコ字形状の支承部を有する。
前記第２支承部４０ｂと第３支承部４０ｃとの間隔は軸２５の径よりも大きい。
よって、前記支承部材４０は軸２５をケース見込み幅方向に離隔した前部寄りの第１位置と後部寄りの第２位置とに亘って移動可能に支承する。
【００２６】
前記支承部材４０は、例えば、図３、図４に示すように横向片４１と第１縦向片４２と第２縦向片４３を有する上向きコ字状部４４及び、その横向片４１、第１・第２縦向片４２，４３に一体的に設けた取付片４５を備えた板金加工品で、その横向片４１が前記第１支承部４０ａ、第１縦向片４２が前記第２支承部４０ｂ、第２縦向片４３が前記第３支承部４０ｃにそれぞれ相当する。
前記各取付片４５が側面板２０ｄにビス４６でそれぞれ固着される。
【００２７】
この実施の形態では軸２５が円形であり、巻取りドラム２６が回転する時に軸２５が回転する恐れがあるので、支承部材４０に軸の回転止め部材４７が設けてある。
例えば、第１縦向片４２の孔４２ａと第２縦向片４３の孔４３ａとに亘って軸固定ビス４８を挿通し、第２縦向片４３に固着したナット４９に螺合してある。
軸２５に径方向に貫通した孔２５ａを形成し、この孔２５ａに軸固定ビス４８を挿通することで、軸２５が回転しないようにしてある。
前記軸固定ビス４８の頭部４８ａはシャッターケース２０の前面に向い、シャッターケース２０の前面側から容易に締付け、弛めできる。
【００２８】
前記軸２５の端部を矩形状としたり、軸２５の端部に矩形状の補助軸を固着することで、軸２５が回転しないようにしても良い。
この場合には、前述の軸の回転止め部材４７を設けなくとも良いが、前述した軸固定ビス４８は後述する軸２５の締付け固定機能を有するので、その軸固定ビス４８を設けても良い。
【００２９】
前記固定部材５０は、軸２５を支承部材４０の第１位置、第２位置でケース見込み幅方向に移動しないように固定する第１の状態と第２の状態に取り付け換えできる。
前記固定部材５０は例えば、図３、図４に示すように基片５１と両側片５２で平面コ字形状の本体５３と、その本体５３の基片５１上部に一体に設けたつまみ片５４を有する形状で、その基片５１には前記軸固定ビス４８が嵌まり合う長穴５５が下端面に開口して形成してある。
前記本体５３（固定部材５０）の見込み幅Ｈ１は、前記支承部材４０の第１縦向片４２と第２縦向片４３との間隔Ｈ２から軸２５の径Ｄを差し引いた値と略等しい。
【００３０】
図３に示すように、固定部材５０を第２縦向片４３と軸２５との間に押し込んで取付けることで、軸２５は第１縦向片４２と固定部材５０で挟持されて第１位置に固定される。この状態が前述の第１の状態である。
この状態で軸固定ビス４８を締付けることで第１縦向片４２と第２縦向片４３が引き寄せられて軸２５と固定部材５０を強固に締付け固定することができる。
【００３１】
前述の状態から、軸固定ビス４８を弛めて固定部材５０を引き抜いて取り外す。
軸２５を横向片４１に沿って移動して第２縦向片４３に接し、その軸２５と第１縦向片４２との間に固定部材５０を押し込んで取付けることで、図５に示すように軸２５は第２縦向片４３と固定部材５０で挟持されて前述の第２位置に固定される。この状態が前述の第２の状態である。
この状態で軸固定ビス４８を締付けて軸２５と固定部材５０を強固に締付け固定する。
なお、前述の軸２５の移動操作はシャッターカーテン２２を最大限繰り出した状態（つまり、前述の障子装着用枠部１５を全閉した状態）で行なう。
【００３２】
図３に示すように、軸２５を第１位置に固定することで、巻取りドラム２６はシャッターケース２０の後面板２０ｂ（後面）とカバー体３５との間の略中央部に位置し、シャッターケース２０内を有効利用してシャッターカーテン２２の最大巻き径を大きくできる。
また、軸２５の中心２５ｂの見込み幅方向の位置（巻取部２１の中心位置）がガイドレール２３に接近する。
【００３３】
図５に示すように、軸２５を第２位置に固定することで、巻取りドラム２６はシャッターケース２０の前面より引き込んだ状態となり、シャッターカーテン２２を最大限に繰り出すことで、シャッターカーテン２２はシャッターケース２０の前面と略面一、又はシャッターケース２０内となり、そのシャッターカーテン２２はシャッターケース２０の前面から突出しない。
よって、シャッター付きサッシ枠を容易に梱包できるし、運搬する際にトラックの荷台等に数多く積載でき、効率良く運搬できる。
【００３４】
また、軸２５の中心２５ｂの見込み幅方向の位置（巻取部２１の中心位置）がガイドレール２３と離れる。
よって、サッシ枠の納まり、サッシ窓種の違いに対応して軸２５を前述のように移動して固定することで、シャッターカーテン２２の入り角度θを適切な角度にできる。
なお、見込み幅Ｈ１が異なる数種類の固定部材５０を準備し、前述のサッシ枠の納まり、サッシ窓種の違いに対応して見込み幅Ｈ１の異なる２つの固定部材５０を前記第１縦向片４２と軸２５との間及び第２縦向片４３と軸２５との間にそれぞれ押し込んで取り付けることで、軸２５をケース見込み幅方向の任意の位置に移動して固定し、シャッターカーテン２２の入り角θを適切な角度とするようにしても良い。
【００３５】
前記軸支持部材２４（支承部材４０）はシャッターケース２０の下面板２０ａ、後面板２０ｂ、上面板２０ｃに取付けても良いし、側面板２０ｄの外面に取付けても良い。この場合には側面板２０ｄにケース見込み幅方向の長穴を形成し、その長穴を通して軸２５の端部を支承部材４０で支承する。つまり、軸支持部材２４（支承部材４０）はシャッターケース２０の側部に取付ければ良い。
【００３６】
【発明の効果】
請求項１に係る発明によれば、固定部材を第１の状態に取付けることで軸が第１位置に固定され、その固定部材を第２の状態に取付けることで軸が第２位置に固定される。
よって、固定部材を第１の状態と第２の状態とに取り付け換えすることで、巻取部をケース見込み幅方向に移動して固定できる。
したがって、巻取部を移動する操作が簡単であると共に、その移動するための部品点数が少なく、単純形状でコスト安とすることが可能となる。
【００３７】
また、シャッターケースに対して巻取部が移動する形状であるから、シャッター単独であっても巻取部を移動することができる。
したがって、サッシ枠の納まりの仕方の違い、サッシ窓種の違いに対応して巻取部を移動することで、シャッターカーテンの入り角度を適切な角度とすることが可能である。
【００３８】
請求項２に係る発明によれば、固定部材を第３支承部と軸との間、第２支承部と軸との間に押し込むことで取付けできる。
したがって、固定部材の取付け、取り外し操作が容易で、固定部材の取り付け換えを容易に実施できる。
【００３９】
請求項３に係る発明によれば、シャッターカーテンの巻き取り、繰り出し時に軸が回転することがない。
軸固定ビスを螺合することで、第２又は第３支承部と固定部材で軸を強固に締付けるから、軸を強固に固定できる。
【図面の簡単な説明】
【図１】本発明の第１の実施の形態を示す概略外観図である。
【図２】図１のＡ−Ａ拡大詳細断面図である。
【図３】図１のＢ−Ｂ拡大詳細断面図である。
【図４】軸支持部材の斜視図である。
【図５】軸を移動した状態の断面図である。
【図６】従来の不具合説明図である。
【符号の説明】
１…巻取部
２…サッシ枠
３…ガイドレール
４…シャッターカーテン
１０…サッシ枠
２０…シャッターケース
２１…巻取部
２２…シャッターカーテン
２３…ガイドレール
２４…軸支持部材
２５…軸
２６…巻取りドラム
４０…支承部材
４０ａ…第１支承部
４０ｂ…第２支承部
４０ｃ…第３支承部
４７…軸の回転止め部材
４８…軸固定ビス
４９…ナット
５０…固定部材
６０…巻取部取付用部材
６１…連結部
６１−１…第１連結部
６１−２…第２連結部
６２…第１受部
６３…第２受部
６９…ビス（固定具）。
【図１】
0003598504.tif 000002
【図２】
0003598504.tif 000003
【図３】
0003598504.tif 000004
【図４】
0003598504.tif 000005
【図５】
0003598504.tif 000006
【図６】
0003598504.tif 000007